(57)【要約】【課題】施工上の自由度が高い排水トラップを提供する。【解決手段】排水トラップ１は、下り傾斜となる第１パイプ２と、上り傾斜とな第２パイプ３と、下り傾斜となる第３パイプ４と、が並設される。第１パイプ２の下流端と第２パイプ３の上流端との間に第１折返パイプ５が接続され、第２パイプ３の下流端と第３パイプ４の上流端との間に第２折返パイプ６が接続される。第１パイプ２と第２パイプ３との間が壁１３で構成され、第２パイプ３と第３パイプ４との間が壁１４により構成される。第１パイプ２の上流端と第３パイプ４の下流端とに、断面円形状をしたパイプからなる上流側接続部１１と下流側接続部１２とがそれぞれ設けられる。上流側接続部１１の中心軸と下流側接続部１２の中心軸とは、同一直線Ｌ上に位置する。【選択図】図１
2018204261.tif 000002
【特許請求の範囲】
【請求項１】
下流側に向けて下り傾斜となり内部空間が第１流路となる第１パイプと、
前記第１パイプの下流側に位置し、下流側に向けて上り傾斜となり内部空間が第２流路となる第２パイプと、
前記第２パイプの下流側に位置し、下流側に向けて下り傾斜となり内部空間が第３流路となる第３パイプと、が並設されており、
前記第１パイプの下流端と前記第２パイプの上流端との間に、内部空間が第１折返流路となる第１折返パイプが接続され、前記第２パイプの下流端と前記第３パイプの上流端との間に、内部空間が第２折返流路となる第２折返パイプが接続されており、
前記第１パイプを構成する側壁の前記第２パイプ側の部分と、前記第２パイプを構成する側壁の前記第１パイプ側の部分と、が同一の壁で構成され、前記第２パイプを構成する側壁の前記第３パイプ側の部分と、前記第３パイプを構成する側壁の前記第２パイプ側の部分とが、同一の壁により構成されており、
前記第１パイプの上流端に、断面円形状をしたパイプからなる上流側接続部が設けられ、前記第３パイプの下流端に、断面円形状をしたパイプからなる下流側接続部が設けられており、
前記上流側接続部を構成する前記パイプの中心軸と前記下流側接続部を構成する前記パイプの中心軸とが同一直線上に位置する
ことを特徴とする排水トラップ。
【請求項２】
前記第２折返パイプに第１開口を有し、前記第１開口を閉塞する第１閉塞部材を着脱可能に有する
ことを特徴とする請求項１記載の排水トラップ。
【請求項３】
前記第１折返パイプに第２開口を有し、前記第２開口を閉塞する第２閉塞部材を着脱可能に有する
ことを特徴とする請求項１または２記載の排水トラップ。
【発明の詳細な説明】
【技術分野】
【０００１】
本発明は、排水トラップに関する。
【背景技術】
【０００２】
従来、下向きに水が流れる第１パイプと、上向きに水が流れる第２パイプと、下向きに水が流れる第３パイプと、を上流側より順に有するＳ字状をした排水トラップが知られている（例えば特許文献１参照）。
【０００３】
第１パイプの上流端の上流側接続部に上流側の排水管が接続されるとともに、第３パイプの下流端の下流側接続部に下流側の排水管が接続される。
【先行技術文献】
【特許文献】
【０００４】
【特許文献１】特開平９−１２２５２７号公報
【発明の概要】
【発明が解決しようとする課題】
【０００５】
上記従来例の排水トラップにあっては、上流側接続部の中心軸と下流側接続部の中心軸はともに上下方向を長手方向とし、平面視においてずれた位置にある。この排水トラップにあっては、上流側および下流側の排水管に取り付けられた状態における排水トラップの向き（姿勢）が決まっていた。
【０００６】
このため、他の部材との干渉を避けて、他の部材および排水トラップの施工上の自由度が制限されるものであった。
【０００７】
本発明は上記従来の問題点に鑑みて発明したものであって、施工上の自由度が高い排水トラップを提供することを目的とする。
【課題を解決するための手段】
【０００８】
本発明の一形態に係る排水トラップは、第１パイプと、第２パイプと、第３パイプと、が並設されている。第１パイプは、下流側に向けて下り傾斜となり内部空間が第１流路となる。第２パイプは、前記第１パイプの下流側に位置し、下流側に向けて上り傾斜となり内部空間が第２流路となる。第３パイプは、前記第２パイプの下流側に位置し、下流側に向けて下り傾斜となり内部空間が第３流路となる。
【０００９】
前記第１パイプの下流端と前記第２パイプの上流端との間に、内部空間が第１折返流路となる第１折返パイプが接続されている。前記第２パイプの下流端と前記第３パイプの上流端との間に、内部空間が第２折返流路となる第２折返パイプが接続されている。
【００１０】
前記第１パイプを構成する側壁の前記第２パイプ側の部分と、前記第２パイプを構成する側壁の前記第１パイプ側の部分と、が同一の壁で構成されている。前記第２パイプを構成する側壁の前記第３パイプ側の部分と、前記第３パイプを構成する側壁の前記第２パイプ側の部分とが、同一の壁により構成されている。
【００１１】
前記第１パイプの上流端に、断面円形状をしたパイプからなる上流側接続部が設けられている。前記第３パイプの下流端に、断面円形状をしたパイプからなる下流側接続部が設けられている。
【００１２】
前記上流側接続部を構成する前記パイプの中心軸と前記下流側接続部を構成する前記パイプの中心軸とが同一直線上に位置する。
【発明の効果】
【００１３】
本発明の一形態に係る排水トラップにあっては、上流側および下流側の排水管に接続された排水トラップの取り付け向きが限定されないため、排水トラップの取り付け向きを適宜調整することにより、他の部材との干渉を避けることができ、施工上の自由度が高い。
【図面の簡単な説明】
【００１４】
【図１】図１は、本発明の一実施形態に係る排水トラップの断面図である。
【図２】図２Ａは、誘導リブが設けられていない排水トラップにおける水量が多い場合の水の流れを説明する要部断面図である。図２Ｂは、誘導リブが設けられていない排水トラップにおける水量が少ない場合の水の流れを説明する要部断面図である。
【図３】図３は、本発明の一実施形態に係る排水トラップにおいて、第１開口からの高圧洗浄用のノズルの挿入を説明する断面図である。
【発明を実施するための形態】
【００１５】
本発明の一実施形態に係る排水トラップについて、図１〜図３に基いて説明する。
【００１６】
図１に示すように、排水トラップ１は、第１パイプ２と、第２パイプ３と、第３パイプ４と、が並設されるものである。
【００１７】
第１パイプ２は、排水トラップ１の使用状態において、下流側に向けて下り傾斜となるように設けられ、内部空間が第１流路２０となる。第１流路２０は、内部を流れる水の流れ（以下、単に流れという）の向きが斜め下向きで一定となる。
【００１８】
ここで、通常の使用状態における排水トラップ１の上下を本実施形態における上下として定義し、図１に示す。
【００１９】
パイプ（第１パイプ２、第２パイプ３、第３パイプ４、後述する第１折返パイプ５、第２折返パイプ６）は、流れ方向に垂直な断面における形状が円形状をしている。これらのパイプの内部に形成される第１流路２０、後述する第２流路３０、第３流路４０、第１折返流路５０および第２折返流路６０は、流れ方向の任意の位置の断面において、同じ形状（円形状）であるとともに同じ大きさをしている。これらのパイプは、樹脂からなるもので、ブロー成形またはＤＳＩ（Die Slide Injection Molding）成形等により一体に形成されて排水トラップ１が構成されている。
【００２０】
第２パイプ３は、第１パイプ２の下流側に位置する。第２パイプ３は、排水トラップ１の使用状態において、下流側に向けて上り傾斜となるように設けられ、内部空間が第２流路３０となる。第２流路３０は、流れの向きが斜め上向きで一定となる。
【００２１】
また、排水トラップ１は、第１パイプ２の下流端と第２パイプ３の上流端との間に接続される第１折返パイプ５を備える。第１折返パイプ５は、内部空間が第１折返流路５０となる。第１折返パイプ５は、流れの向きを、第１流路２０の流れの向きから第２流路３０の流れの向きに転換させるものである。
【００２２】
第１折返流路５０の上流端５１は第１流路２０の下流端に連続する。第１折返流路５０の上流端５１では、流れの向きが、第１流路２０の流れの向きと同じである。
【００２３】
また、第１折返流路５０の下流端５２は第２流路３０の上流端に連続する。第１折返流路５０の下流端５２では、流れの向きが、第２流路３０の流れの向きと同じである。
【００２４】
第１折返パイプ５の上流端５１と下流端５２の間の中間部５３は、流れの向きが一定の曲率で変化する。
【００２５】
第３パイプ４は、第２パイプ３の下流側に位置する。第３パイプ４は、排水トラップ１の使用状態において、下流側に向けて下り傾斜となるように設けられ、内部空間が第３流路４０となる。第３流路４０は、流れの向きが斜め下向きで一定となる。
【００２６】
また、排水トラップ１は、第２パイプ３の下流端と第３パイプ４の上流端との間に接続される第２折返パイプ６を備える。第２折返パイプ６は、内部空間が第２折返流路６０となる。第２折返パイプ６は、流れの向きを、第２流路３０の流れの向きから第３流路４０の流れの向きに転換させるものである。
【００２７】
第２折返流路６０の上流端６１は第２流路３０の下流端に連続する。第２折返流路６０の上流端６１では、流れの向きが、第２流路３０の流れの向きと同じである。
【００２８】
また、第２折返流路６０の下流端６２は第３流路４０の上流端に連続する。第２折返流路６０の下流端６２では、流れの向きが、第３流路４０の流れの向きと同じである。
【００２９】
第２折返パイプ６の上流端６１と下流端６２の間の中間部６３は、流れの向きが一定の曲率で変化する。
【００３０】
また、第１パイプ２を構成する側壁の第２パイプ３が位置する側の部分２１と、第２パイプ３を構成する側壁の第１パイプ２が位置する側の部分３１とが、同一の壁１３により構成されている。
【００３１】
さらに、第２パイプ３を構成する側壁の第３パイプ４が位置する側の部分３２と、第３パイプ４を構成する側壁の第２パイプ３が位置する側の部分４２とが、同一の壁１４により構成されている。
【００３２】
第３パイプ４の内壁面４１のうち、第２パイプ３が位置する側の内壁面４１１の上端部に、誘導リブ７が設けられる。誘導リブ７は、第２パイプ３が位置する側と反対側の面７１が先端７３側に向けて下向き（面７１の法線が水平向き）となるとともに、先端７３が内壁面４１１から離間する。さらに、誘導リブ７は、第２パイプ３が位置する側の面７２が、先端７３側に向けて下り傾斜する。誘導リブ７は、第３パイプ４と同様の樹脂からなるもので、第３パイプ４と一体に形成されている。
【００３３】
誘導リブ７の効果について説明する。図２Ａに示すように、誘導リブ７が設けられない場合、排水トラップ１内を大量の水８が流れるときには、第３パイプ４の内壁面４１のうち第２パイプ３が位置する側の内壁面４１１には水８があまり流れない。このため、第３パイプ４の内壁面４１のうち第２パイプ３が位置する側の内壁面４１１には水８に含まれる油脂分が付着しにくい。また、第３パイプ４の内壁面４１のうち第２パイプ３が位置する側と反対側の内壁面４１２には水８が少しずつ伝うように流れるわけではないため、この内壁面４１２にも水８に含まれる油脂分が付着しにくい。
【００３４】
しかし、流れの停止前には、図２Ｂに示すように、第３パイプ４の内壁面４１のうち第２パイプ３が位置する側の内壁面４１１を、水８が少しずつ伝うように流れる。このとき、第２パイプ３が位置する側の内壁面４１１に、伝うように流れる水８に含まれる油脂分が付着しやすい。
【００３５】
そこで、本実施形態では、排水トラップ１に誘導リブ７が設けられている。排水トラップ１内を大量の水８が流れるときには、図２Ａに示す場合と同様に、内壁面４１１および内壁面４１２には水８に含まれる油脂分が付着しにくい。
【００３６】
また、流れの停止前において、第３パイプ４の内壁面４１のうち第２パイプ３が位置する側の内壁面４１１を伝おうとする水８は、誘導リブ７の第２パイプ３が位置する側と反対側の面７１を伝ってその先端７３（下端）から下方へ落下する。この結果、第２パイプ３が位置する側の内壁面４１１の誘導リブ７が設けられた箇所よりも下側に、水８に含まれる油脂分が付着するのが抑制される。また、内壁面４１２にはあまり水８が流れないため、内壁面４１２には水８に含まれる油脂分が付着しにくい。
【００３７】
また、図１に示すように、第１パイプ２の最大幅Ｗ１、第２パイプ３の最大幅Ｗ２、第３パイプ４の最大幅Ｗ３が、Ｗ１＝Ｗ２、Ｗ１＜Ｗ３、Ｗ２＜Ｗ３、の関係を満たすように排水トラップ１が形成されている。ここで、最大幅とは、各パイプの断面形状が円形である本実施形態では各パイプの内径（直径）である。パイプの最大幅の大小関係とパイプの流路面積の大小関係が一致する。第３パイプ４の流路面積が第１パイプ２の流路面積および第２パイプ３の流路面積よりも大きいため、第３パイプ４の内壁面４１（特に内壁面４１２）に油脂分が付着しても、第３流路４０が第１流路２０および第２流路３０よりも狭くなってしまうのが抑制される。
【００３８】
図１に示すように、第１パイプ２の上流端に、上流側接続部１１が設けられている。上流側接続部１１は、断面円形状をしたパイプからなるもので、第１パイプ２に一体に設けられている。上流側接続部１１の外面には、雄ねじ部１１１が形成されており、雄ねじ部１１１には、上流側接続部１１と、その上流側に位置するシンクの排水管（不図示）等とを接続するナット部材（不図示）が締め付けられる。
【００３９】
また、第３パイプ４の下流端に、下流側接続部１２が設けられている。下流側接続部１２は、断面円形状をしたパイプからなるもので、第３パイプ４に一体に設けられている。下流側接続部１２の外面には、雄ねじ部１２１が形成されており、雄ねじ部１２１には、下流側接続部１２と、その下流側に位置する排水管（不図示）等とを接続するナット部材（不図示）が締め付けられる。
【００４０】
上流側接続部１１を構成するパイプの中心軸と、下流側接続部１２を構成するパイプの中心軸とは、同一直線Ｌ上に位置している。このとき、通常、排水トラップ１の上流側に接続される排水管およびナット部材の中心軸と、排水トラップ１の下流側に接続される排水管およびナット部材の中心軸も、同一直線Ｌ上に位置することになる。このような取り付け環境においては、排水トラップ１は、上流側接続部１１および下流側接続部１２を構成するパイプの中心軸が、接続される排水管およびナット部材の中心軸上に位置してさえいれば取り付け可能である。
【００４１】
従って、排水トラップ１の取り付け向きは限定されないことになる。このため、排水トラップ１を設置するにあたり、作業者は、排水トラップ１の取り付け向きを適宜調整することにより、他の部材との干渉を避けることができ、設計上および施工上の自由度が向上する。特に、システムキッチンのシンクの下側に排水トラップ１のみならず自動水栓の制御部等の機器が設置される場合、排水トラップ１の取り付け向きを適宜調整することにより、機器の設置の自由度が向上する。
【００４２】
また、作業者は、ナット部材を回転しないように固定し、排水トラップ１を、上流側接続部１１および下流側接続部１２の中心軸まわりに回転させて、上流側接続部１１または下流側接続部１２にナット部材を締め付けることが可能となる。
【００４３】
また、作業者は、ナット部材を回転しないように固定し、排水トラップ１を、上流側接続部１１および下流側接続部１２の中心軸まわりに回転させて、上流側接続部１１または下流側接続部１２からナット部材を取り外すことが可能となる。
【００４４】
また、排水トラップ１は、第２折返パイプ６に第１開口６４を有している。第２折返パイプ６に、上方に突出し内部空間が第２折返流路６０と連続する断面円形状をしたパイプ６５が設けられ、パイプ６５の開口が第１開口６４となっている。パイプ６５の外面には、雄ねじ部が形成されている。この雄ねじ部に締め付けられる雌ねじ部を内面に有し、第１開口６４を閉塞する第１閉塞部材６６がパイプ６５に着脱可能に装着される。
【００４５】
また、パイプ６５は、第２折返パイプ６の上側でかつ上流側接続部１１の側方のデッドスペースに設けられるため、設計上および施工上の自由度を損なわない。
【００４６】
第２折返パイプ６に第１開口６４が設けられることにより、作業者は、図３に示すように、高圧洗浄用のノズル９１を有するチューブ９を大きく曲げることなく第１開口６４より挿入することができる。これにより、作業者は、比較的油脂分が付着しやすい第３パイプ４の内壁面４１１に向けてノズル９１から洗浄水を噴出させて、油脂分を除去して清掃を行うことができる。また、作業者は、ノズル９１をさらに奥に挿入させれば、下流側接続部１２の下流側に接続される排水管の清掃も行うことができる。
【００４７】
また、排水トラップ１は、第１折返パイプ５に第２開口５４を有している。第１折返パイプ５に、下方に突出し内部空間が第１折返流路５０と連続する断面円形状をしたパイプ５５が設けられ、パイプ５５の開口が第２開口５４となっている。パイプ５５の外面には、雄ねじ部が形成されている。この雄ねじ部に締め付けられる雌ねじ部を内面に有し、第２開口５４を閉塞する第２閉塞部材５６がパイプ５５に着脱可能に装着される。
【００４８】
第１折返パイプ５に第２開口５４が設けられることにより、作業者は、排水トラップ１内の封水を排出させることができる。
【００４９】
また、パイプ５５は、第１折返パイプ５の下側でかつ下流側接続部１２の側方のデッドスペースに設けられるため、設計上および施工上の自由度を損なわない。
【００５０】
以下、上記実施形態における変形例について説明する。
【００５１】
パイプ（第１パイプ２、第２パイプ３、第３パイプ４、第１折返パイプ５、第２折返パイプ６）、誘導リブ７、上流側接続部１１および下流側接続部１２の材質は、成形のしやすさから樹脂であることが好ましいが、樹脂に限定されない。また、誘導リブ７の材質が第３パイプ４と同様の材質でなくてもよい。
【００５２】
また、パイプの流れ方向に垂直な断面における形状は円形状に限定されない。
【００５３】
また、パイプの内部に形成される、第１流路２０〜第３流路４０、第１折返流路５０および第２折返流路６０は、流れ方向の任意の位置の垂直な断面において同形同大でなくてもよく、また、その形状は円形状に限定されない。また、第１流路２０〜第３流路４０、第１折返流路５０および第２折返流路６０の長さは限定されない。
【００５４】
また、第１流路２０、第２流路３０、第３流路４０におけるそれぞれの流れの向きは一定でなくてもよい。すなわち、第１流路２０および第３流路４０におけるそれぞれの流れの向きは、上下方向における下向き成分を有していればよく、第２流路３０における流れの向きは、上下方向における上向き成分を有していればよい。
【００５５】
また、第１折返流路５０および第２折返流路６０の流れの向きの変化のし方（曲率）は限定されず、一定でなくてもよい。
【００５６】
また、誘導リブ７は、第３パイプ４の内壁面４１のうち第２パイプ３が位置する側の上端部に設けられなくてもよく、第３パイプ４の内壁面４１のうち第２パイプ３が位置する側の内壁面４１１の上部（少なくとも上半分、好ましくは上から１／３までの部分）のいずれかの箇所に設けられればよい。誘導リブ７による効果は、誘導リブ７が、第３パイプ４の内壁面４１のうち第２パイプ３が位置する側の下端部より上側に設けられれば得られ、上側へいくほど、得られる効果が大きい。
【００５７】
また、排水トラップ１を流れるのは水に限定されず、液体であればよく、液体の種類は限定されない。
【００５８】
また、上流側接続部１１は、断面円形状をしたものであり、特に水平断面における外郭形状が円形状をしたものであるが、内部の流路の形状は円形状でなくてもよい。同様に、下流側接続部１２は、断面円形状をしたものであり、特に水平断面における外郭形状が円形状をしたものであるが、内部の流路の形状は円形状でなくてもよい。
【００５９】
また、第１閉塞部材６６は、パイプ６５に被嵌される蓋ではなく、パイプ６５内に嵌入される栓等であってもよく、限定されない。また、第１開口６４および第１閉塞部材６６は任意の構成であり、排水トラップ１に設けられなくてもよい。
【００６０】
また、第２閉塞部材５６は、パイプ５５に被嵌される蓋ではなく、パイプ５５内に嵌入される栓等であってもよく、限定されない。また、第２開口５４および第２閉塞部材５６は任意の構成であり、排水トラップ１に設けられなくてもよい。
【００６１】
以上、上記実施形態およびその変形例から明らかなように、本発明に係る第１の態様の排水トラップ１は、第１パイプ２と、第２パイプ３と、第３パイプ４と、が並設されている。第１パイプ２は、下流側に向けて下り傾斜となり内部空間が第１流路２０となる。第２パイプ３は、第１パイプ２の下流側に位置し、下流側に向けて上り傾斜内部空間が第２流路３０となる。第３パイプ４は、第２パイプ３の下流側に位置し、下流側に向けて下り傾斜となり内部空間が第３流路４０となる。
【００６２】
第１パイプ２の下流端と第２パイプ３の上流端との間に、内部空間が第１折返流路５０となる第１折返パイプ５が接続されている。第２パイプ３の下流端と第３パイプ４の上流端との間に、内部空間が第２折返流路６０となる第２折返パイプ６が接続されている。
【００６３】
第１パイプ２を構成する側壁の第２パイプ３側の部分２１と、第２パイプ３を構成する側壁の第１パイプ２側の部分３１と、が同一の壁１３で構成されている。第２パイプ３を構成する側壁の第３パイプ４側の部分３２と、第３パイプ４を構成する側壁の第２パイプ３側の部分４２とが、同一の壁１４により構成されている。
【００６４】
第１パイプ２の上流端に、断面円形状をしたパイプからなる上流側接続部１１が設けられている。第３パイプ４の下流端に、断面円形状をしたパイプからなる下流側接続部１２が設けられている。
【００６５】
上流側接続部１１を構成するパイプの中心軸と、下流側接続部１２を構成するパイプの中心軸とは、同一直線Ｌ上に位置する。
【００６６】
第１の態様の排水トラップ１によれば、上流側および下流側の排水管に接続された排水トラップ１の取り付け向きが限定されないため、排水トラップ１の取り付け向きを適宜調整することにより、他の部材との干渉を避けることができ、施工上の自由度が高い。
【００６７】
第２の態様では、第１の態様との組み合わせにより実現される。第２の態様では、第２折返パイプ６に第１開口６４を有し、第１開口６４を閉塞する第１閉塞部材６６を着脱可能に有する。
【００６８】
第２の態様によれば、高圧洗浄用のノズル９１を有するチューブ９を容易に第１開口６４より挿入することが可能となる。
【００６９】
第３の態様では、第１の態様または第２の態様との組み合わせにより実現される。第３の態様では、第１折返パイプ５に第２開口５４を有し、第２開口５４を閉塞する第２閉塞部材５６を着脱可能に有する。
【００７０】
第３の態様によれば、排水トラップ１内の封水を排出させることが可能となる。
【符号の説明】
【００７１】
１    排水トラップ
１１  上流側接続部
１２  下流側接続部
１３  壁
１４  壁
２    第１パイプ
２０  第１流路
２１  部分
３    第２パイプ
３０  第２流路
３１  部分
３２  部分
４    第３パイプ
４０  第３流路
４２  部分
５    第１折返パイプ
５０  第１折返流路
５４  第２開口
５６  第２閉塞部材
６    第２折返パイプ
６０  第２折返流路
６４  第１開口
６６  第１閉塞部材
Ｌ    同一直線
【図１】
2018204261.tif 000003
【図２】
2018204261.tif 000004
【図３】
2018204261.tif 000005